(57)【要約】      （修正有）【課題】旅行や出張等の着替え用として、シャツ・ブラウス等をボストンバッグに入れる場合、衿元の型崩れが生じることがない、型崩れ防止パットを提供する。【解決手段】一般に緩衝材として使用されているポリウレタンを円柱状に加工し、ポリウレタンを衿元の形状に合うように力を加え、変形させ、シャツ・ブラウス等の衿元に挿入装着させることによって、衿元の強度を補強し、なおかつ、ポリウレタンの弾性力によって、衿元からポリウレタンの抜脱を防止する。【選択図】図１
0003138838.tif 000002
【実用新案登録請求の範囲】
【請求項１】
円柱状のポリウレタンをシャツ・ブラウス等の衿元の形状に合せて、衿元に挿入したことを特徴とする衿元の型崩れ防止用パッド。
【請求項２】
円柱状のポリウレタンの中央部に切り込みを入れ、指輪、カフスリンクス等を収納保管できるように構成した請求項１記載の衿元の型崩れ防止用パッド。
【請求項３】
円柱状のポリウレタンを袋状に縫製した布帛生地製のカバーに収納し、衿元の汚れを防止するとともに、当該布帛生地に文言ないし図柄を記載ないし表示することにより、コミュニケーションツールとしても使用できるように構成した請求項１又は２記載の衿元の型崩れ防止用パッド。
【考案の詳細な説明】
【技術分野】
【０００１】  本考案は衣料品における衿形状の保型のためのパッドであり、具体的には、シャツ、ブラウス等の衿元の型崩れ防止用パッドに係るものである。
【背景技術】
【０００２】  シャツ・ブラウス等の衿元の型崩れについて、従来よりシャツ・ブラウス等の搬送用として、ＰＰ樹脂等の抜き型によるカラーセット等が採用されている。
【考案の開示】
【考案が解決しようとする課題】
【０００３】  しかし、シャツ・ブラウス等が販売店に納品されるまでは、カラーセット等で衿元が保型されているが、シャツ・ブラウス等が購入された後は、カラーセット等は取り外されるのが通常であり、まして、購入後、直ちに着用する場合にはカラーセット等は廃棄処分される。【０００４】  また、旅行や出張等の着替え用として、シャツ・ブラウス等をボストンバッグに入れる場合、どうしても、ボストンバッグの中の他の荷物等の関係で、衿元の型崩れが生じることが多く、着用にあたって、予めアイロン等で衿元の形状を形づくる必要があり、手間がかかる。【０００５】  そこで、衣料品一般に対する型崩れ防止用として、衣服に接触するパッド等が考案されているが、それらは概ね衣料品に比べて比較的硬いため、パッドの形状による癖付けが発生しやすかった、また、旅行等の用途を意識したものは無く、持ち運びが容易である視点に欠けている。【０００６】  本考案は、上述の課題を同時に解決し得るようにしたシャツ・ブラウス等の衿元の型崩れ防止用パッドを提供することを目的とする。
【課題を解決するための手段】
【０００７】  本考案は、円柱状のポリウレタンをシャツ・ブラウス等の衿元の形状に合せて、衿元に挿入したことを特徴とする衿元の型崩れ防止用パッド、に係るものである。【０００８】  このような円柱状のポリウレタンをシャツ・ブラウス等の衿元の形状に合うように変形させながら、シャツ・ブラウス等の衿元に挿入するため、挿入された当該ポリウレタンの弾性力によって、衿元にきちんと嵌まる状態になるため、衿元の強度が補強され、ボストンバックに収納しても、搬送中の振動等によっても、シャツ・ブラウス等の衿元から、衿元の型崩れ防止用パッドが外れる危険性は小さい。【０００９】  さらに、この衿元の型崩れ防止用パッドは軽量でなければならず、ボストンバッグ等に入れての持ち運びの容易性、ましてシャツ・ブラウス等の衿元に装着することからも、重量があると、かえって当該衿元に特別の癖付けが発生することになる。【００１０】  以上のことから、衿元の型崩れ防止用パッドを構成する部材として、軽量であり、形状の可変性があり、弾性力に富む円柱状のポリウレタンが適当である。【００１１】  また、旅行又は出張時において、指輪、カフリンクス等の貴金属等を保管するケースが必要となるが、衿元の型崩れ防止用パッドたるポリウレタンの上面、中央部に切り込み部を構成し、指輪、カフリンクス等の脚部をその切れ込み部に差し込み、貴金属等の保管ケースとしての役割も果たすことができる。【００１２】  しかし、衿元の型崩れ防止用パッドは衿元に装着するものであり、衿元の汚れ防止などを考慮する必要があり、当該パッドたるポリウレタンを収納し、汚れ等を防止するカバー等が必要となる。【００１３】  そして、そのカバーとしては、シャツ・ブラウス等の衿元他で使用されている布帛生地に相性が良く、かつ嵩張らずにしなやかなシャツ地用の布帛生地が好適である。また、衿元の型崩れ防止用パッドたる円柱状のポリウレタンを収納することができるように、シャツ地用の布帛生地を袋状に縫製しカバーを構成する。さらに、当該袋状のカバーの上端部に同布帛生地製のループを取り付けることにより、そのループを用いて衿元から、型崩れ防止用パッドを取外すのが容易となる。【００１４】  また、前述した指輪、カフスリンクス等の脚部が差し込まれた型崩れ防止用パッドたるポリウレタンが、袋状の布帛生地製のカバーに収納されることによって、ボストンバックに収納しても、搬送中の振動等によっても、指輪、カフリンクス等が当該パッドから外れ、滅失毀損のおそれを回避することができ、保管ケースとしての機能を強化することができる。【００１５】  さらに、袋状の布帛生地製のカバーに、文言ないし図柄を記載ないし表示できるスペースを確保し、または文言ないし図柄を記載できる表示物を縫着することにより、衿元に装着された当該パッドが一種のコミュニケーションツールとしての機能を有することができる。
【考案の効果】
【００１６】  本考案のシャツ・ブラウス等の衿元の型崩れ防止用パッドにあっては、シャツ・ブラウス等の衿元に挿入装着することにより、衿元の型崩れ防止を行うものであり、何ら他の備品等によって、衿元に装着固定する必要はなく、ただシャツ・ブラウス等の衿元に挿入装着すれば足り、そして一度装着したら、当該パッドを任意に取り外さない限り、衿元に固定的に装着され、当該パッドが衿元から自然に外れることはなく、そして、シャツ・ブラウス等をボストンバックに収納しても、当該パッドにより、衿元の型崩れ防止が十分であり、その効果は大きい。その結果、着用にあたっては、予めアイロン等で衿元の形状を形づくる必要がなくなる。
【考案を実施するための最良の形態】
【００１７】  以下、本発明の実施の形態を図面を参照しつつ説明する。【００１８】  図１は本考案におけるシャツ・ブラウス等の衿元に挿入装着させる衿元の型崩れ防止用パッド１であり、図２は当該パッド１の側面に当該パッド１を衿元に挿入装着させるため、衿元の形状に合うように力Ａ、Ｂを加えた図であり、図３は衿元に挿入装着し易いように変形された当該パッド１をシャツ・ブラウス等４の衿元５に挿入装着させる図であり、この当該パッド１は一般的に緩衝材等で使用されることが多い、ポリウレタンを円柱状に加工したものである。【００２０】  そして、図４は衿元の型崩れ防止用パッド１が衿元５の形状に合うように変形され、衿元５に装着された図であるが、図中、弾性力Ｃがシャツ・ブラウス等４の衿元５にかかり、衿元５の強度が補強され、衿元５が変形しづらくなり、なおかつ、衿元５に対して、パッド１の弾性力Ｃにより、当該パッド１が衿元５から抜脱しづらくなる。【００２１】  図５は、衿元の型崩れ防止用パッド１の上面中央部に切り込み部Ｄを設置し、旅行や出張等に必要な指輪Ｅ、カフリンクスＦ等の脚部を当該パッド１の切り込み部Ｄに差し込むことによって、当該パッド１に装着させ、図６のように指輪Ｅ、カフリンクスＦ等を保管する。そして、指輪Ｅ及びカフリンクスＦを装着した当該パッド１を、布帛生地製のカバー２に収納することにより、指輪Ｅ、カフリンクスＦ等を保管ケースに入れたのと同様の機能を果たす。【００２２】  図７は衿元の型崩れ防止用パッド１の汚れ防止等のための布帛生地製のカバー２であるが、当該布帛生地製のカバー２の上端部にループ３を取り付けたことを特徴とするもので、図４によって、当該パッド１が衿元５より抜脱しづらいことを説明したが、シャツ・ブラウス等４の着用にあたって、衿元５から当該パッド１を取り外す必要があり、ループ３は衿元５から当該パッド１の取外しを容易にするものである。【００２３】  さらに、図８は、布帛生地製のカバー２に衿元の型崩れ防止用パッド１を収納するために、当該カバー２の下部中央部にファスナー付きの収納口６を構成した図であり、収納口６をファスナーとすることによって、シャツ・ブラウス等４の衿元５に挿入装着する際、衿元５の形状に合せるために加わる力に対しても、当該布帛地製のカバー２の内容物たる衿元の型崩れ防止用パッド１が当該カバー２から抜け出ることもなく、安定的に衿元５の型崩れ防止ができる。【００２４】  図９は布帛生地製のカバー２に衿元の型崩れ防止用パッド１を収納後、図２と同様に、衿元の型崩れ防止用パッド１を収納した当該カバー２を衿元に挿入装着させるため、当該カバー２の側面に、衿元５の形状に合うように力Ａ、Ｂを加えた図であり、図１０はシャツ・ブラウス等４の衿元５に当該カバー２に収納された衿元の型崩れ防止用パッド１を挿入装着したものである。そして、図中のループ３により、衿元５から当該カバー２に収納された衿元の型崩れ防止用パッド１を容易に取り外すことを可能としたものである。【００２５】  図１１は布帛生地製のカバー２の上面２ａに表示物２ｂを縫着させたものであり、図中の表示はほんの一例にすぎないが、このように、当該カバー２の上面２ａに文言ないし、図柄を記載な��し、表示することを可能とする表示物２ｂを縫着させることにより、単なる衿元５の型崩れ防止機能を有するのみならず、衿元５に装着されるという場所的な位置から目に止まり易く、コミュニケーションツールとしての機能も有することが可能となる。【００２６】  尚、表示物２ｂにあたっては、布帛生地のみならず、文言ないし図柄の記載が容易な素材であればよく、なんら布帛生地に限定するものではない。
【図面の簡単な説明】
【００２７】
【図１】図１は本考案に用いられる衿元の型崩れ防止用パッド１である。
【図２】図２は本考案の衿元の型崩れ防止用パッド１の側面に力Ａ、Ｂを加える図である。
【図３】図３は図２により、衿元の形状に変形させた衿元の型崩れ防止用パッド１をシャツ・ブラウス等４の衿元５に挿入装着する図である。
【図４】図４は本考案の衿元の型崩れ防止用パッド１を衿元５に装着させ、弾性力Ｃにより、当該パッド１が衿元５に嵌まった状態の図である。
【図５】図５は本考案の衿元の型崩れ防止用パッド１に切り込み部Ｄを構成した図である。
【図６】図６は本考案の衿元の型崩れ防止用パッド１の切り込み部Ｄに指輪Ｅ、カフリンクスＦの脚部を差し入れた図である。
【図７】図７は本考案の衿元の型崩れ防止用パッド１を収納する布帛生地製のカバー２の図である
【図８】図８は布帛生地製のカバー２の下部中央部の収納口６の図である。
【図９】図９は本考案の衿元の型崩れ防止用パッド１を収納した布帛生地製のカバー２の側面に力Ａ、Ｂを加える図である。
【図１０】図１０は本考案の衿元の型崩れ防止用パッド１を収納した布帛生地製のカバー２をシャツ・ブラウス等４の衿元５に挿入装着した図である。
【図１１】図１１は布帛生地製のカバー２の上面２ａに表示物２ｂを縫着した一例の図である。
【符号の説明】
【００２８】  Ａ、Ｂ‥本考案の衿元の型崩れ防止用パッドの側面に加える力
Ｃ‥本考案の衿元の型崩れ防止用パッドの弾性力
Ｄ‥衿元の型崩れ防止用パッドの切り込み口
Ｅ‥指輪
Ｆ‥カフリンクス
１‥本考案の衿元の型崩れ防止用パッド
２‥本考案の衿元の型崩れ防止用パッドのカバー
２ａ‥カバー上面
２ｂ‥カバーに縫着する表示物
３‥カバーの上端部に縫着したループ
４‥シャツ・ブラウス等
５‥衿元
６‥収納口
【図１】
0003138838.tif 000003
【図２】
0003138838.tif 000004
【図３】
0003138838.tif 000005
【図４】
0003138838.tif 000006
【図５】
0003138838.tif 000007
【図６】
0003138838.tif 000008
【図７】
0003138838.tif 000009
【図８】
0003138838.tif 000010
【図９】
0003138838.tif 000011
【図１０】
0003138838.tif 000012
【図１１】
0003138838.tif 000013